(57)【要約】【課題】  接触子との接続の確認を、コンパクトな設計で安価にかつ適正に行うことができる端子部構造を提供する。【解決手段】  複数の電極端子４のうち、少なくとも一対の電極端子を接続確認用電極端子１６とし、基板１３の端部における接続確認用電極端子１６の先端位置を他の電極端子４の先端位置より基板１３の中央部側に形成し、一対の接続確認用電極端子１６と接触子であるコネクタピン１５との接続状態を検出する。【選択図】      図１
2005071931.tif 000002
【特許請求の範囲】
【請求項１】
基板の端部に複数の電極端子が配列され、各電極端子が接触子と電気的に接続される端子部構造において、
複数の電極端子のうち、少なくとも一対の電極端子を接続確認用電極端子とし、
基板の端部における接続確認用電極端子の先端位置を他の電極端子の先端位置より基板の中央部側に形成し、
一対の接続確認用電極端子と接触子との接続状態を検出することによって他の電極端子と接触子との接続状態が確認できることを特徴とする端子部構造。
【請求項２】
基板における電極端子の反形成面側に短絡用電極が形成され、基板に形成されたスルーホールを介して短絡用電極と接続確認用電極端子とが接続されている請求項１に記載の端子部構造。
【請求項３】
一対の接続確認用電極端子は、電極端子の配列方向における両外側に配設されている請求項１または２に記載の端子部構造。
【発明の詳細な説明】
【技術分野】
【０００１】
本発明は、端子部構造に係り、特に、基板上に複数の電極端子が所定の間隔を設けて整列配置され、各電極端子がコネクタと電気的に接続可能とされた端子部構造に関する。
【背景技術】
【０００２】
従来から、液晶モジュール等の電子機器のモジュールを、このモジュールを駆動するためのＣＰＵに接続するには、モジュール側の端子部をＣＰＵ側のコネクタに差し込むことによって、端子部の電極端子を接触子としてのコネクタピンに電気的に接続するのが一般的であった。
【０００３】
図４は、このような従来から採用されていたモジュール接続のための端子部構造の一例として可撓配線基板１の端子部構造２を例示したものである。
【０００４】
この端子部構造２は、ポリイミド樹脂等からなる可撓性の基板３上に、配線の電極端子４が整列配置されているだけであるが、このような端子部構造２では、電極端子４がコネクタに適正に挿し込まれてコネクタピンに電気的に接続されたか否かを確認することができない。
【０００５】
そこで、従来から、図５に示すようなコネクタへの接続状態を確認することを目的とした端子部構造６を備えた可撓配線基板７が採用されていた。
【０００６】
この端子部構造６は、基板３における端子整列方向の両側端部に、一対の凸縁部８が形成されており、この凸縁部８をコネクタの係合部に係合させることによって、電極端子４が接続されたことを確認することができる。
【０００７】
【特許文献１】特開平８−１８０９４０号公報
【発明の開示】
【発明が解決しようとする課題】
【０００８】
しかしながら、図５に示す端子部構造６では、端子部の近傍に他の電子部品を高密度で配置する場合に凸縁部８が邪魔になってしまい、さらに、凸縁部８を備えた基板３を作成するための特別な金型を用意する必要があるため、コストの上昇を招いてしまうといった欠点を有している。
【０００９】
図５に示したものの他にも、電極端子４の接続状態を確認する手段として、端子部に接続確認用の目印となる線を印刷等によって施すことも考えられるが、この場合においてもコストの上昇を余儀なくされる。
【００１０】
そこで、本発明は、このような問題点に鑑みなされたものであり、接触子との接続の確認を、コンパクトな設計で安価にかつ適正に行うことができる端子部構造を提供することを目的とするものである。
【課題を解決するための手段】
【００１１】
前述した目的を達成するため、本発明の請求項１に係る端子部構造の特徴は、基板の端部に複数の電極端子が配列され、各電極端子が接触子と電気的に接続される端子部構造において、複数の電極端子のうち、少なくとも一対の電極端子を接続確認用電極端子とし、基板の端部における接続確認用電極端子の先端位置を他の電極端子の先端位置より基板の中央部側に形成し、一対の接続確認用電極端子と接触子との接続状態を検出することによって他の電極端子と接触子との接続状態が確認できる点にある。
【００１２】
そして、このような構成によれば、接続確認用電極端子の短絡状態を検出することによって、すべての電極端子が接触子に接続されたことを簡易かつ適正に確認することが可能となる。
【００１３】
請求項２に係る端子部構造の特徴は、請求項１において、基板における電極端子の反形成面側に短絡用電極が形成され、基板に形成されたスルーホールを介して短絡用電極と接続確認用電極端子とが接続されている点にある。
【００１４】
そして、このような構成によれば、基板側の回路を閉じるために、プローブ等を用いる必要がなくなり、短絡検出の作業性が向上し、短絡検出の検査回路を簡素にすることができる。
【００１５】
請求項３に係る端子部構造の特徴は請求項１または２において、一対の接続確認用電極端子が、電極端子の配列方向における両外側に配設されている点にある。
【００１６】
そして、このような構成によれば、通常は接触子との接続（モジュールの駆動）に寄与しない場合が多い整列方向の両端部の電極端子を接続確認用電極端子にすることによって、接触子との接続に寄与する他の電極端子を犠牲にすることなく電極端子の接続状態を確認することが可能となる。また、接触子に対し電極端子を斜めに配置したような不安定な接続状態を適切に排除することができ、確実な接続状態を提供することができる。
【発明の効果】
【００１７】
請求項１に係る端子部構造によれば、電極端子の接続状態の確認を安価にかつ適正に行うことができるとともに、コンパクト化を図ることができる端子部構造を実現することができる。
【００１８】
請求項２に係る端子部構造によれば、請求項１に係る端子部構造の効果に加えて、電極端子の接続状態の確認をさらに安価にかつ適正に行うことができる端子部構造を実現することができる。
【００１９】
請求項３に係る端子部構造によれば、請求項１または請求項２に係る端子部構造の効果に加えて、さらに無理のない設計で電極端子の接続状態を確認することができる端子部構造を実現することができる。
【発明を実施するための最良の形態】
【００２０】
以下、本発明に係る端子部構造の実施形態について、図１乃至図３を参照して説明する。
【００２１】
なお、従来と基本的構成の同一もしくはこれに類する箇所については、同一の符号を用いて説明する。
【００２２】
図１および図２は、本実施形態における端子部構造１１を備えた可撓配線基板１２を示したものであり、この可撓配線基板１２は、ポリイミド樹脂等からなる可撓性の基板１３の図２における上面に、図２の紙面垂直方向に所定の間隔を設けて整列配置された複数の電極端子４を有している。
【００２３】
図３に示すように、各電極端子４は、接触子としてのコネクタピン１５と電気的に接続可能とされている。
【００２４】
そして、前記複数の電極端子４のうち、少なくとも一対の電極端子４は、すべての電極端子４とコネクタピン１５との接続位置を確認するための接続確認用電極端子１６とされている。
【００２５】
前記接続確認用電極端子１６は、コネクタピン１５側の端部が、コネクタピン１５との接続が許容される許容限度の位置に止まるような長さに形成されており、他の電極端子４のように、許容限度の位置よりもコネクタピン１５側に延出されてはいない。すなわち、接続確認用電極端子１６の先端位置は他の電極端子４の先端位置より基板の中央部側に形成されている。
【００２６】
さらに、前記接続確認用電極端子１６とコネクタピン１５との接続状態を検出可能とされている。
【００２７】
これにより、接続確認用電極端子１６同士の短絡状態を検出することによって、他のすべての電極端子４がコネクタピン１５に電気的に接続される位置であることを簡易に確認することができるようになっている。
【００２８】
また、接続確認用電極端子１６同士の短絡状態という電気的な状態を検出して電極端子４の電気的接続状態を確認することができるため、従来のように凸縁部８によって電極端子４の接続状態を確認する場合に比べて電極端子４の接続状態をさらに適正に確認することができるようになっている。
【００２９】
さらに、本実施形態において、前記基板１３における前記電極端子４の反形成面（下面）側には、前記接続確認用電極端子１６同士を短絡させるための短絡用電極１７が形成されている。前記短絡用電極１７は、電極端子４の整列方向に沿って長尺とされた長辺部１７ａと、この長辺部１７ａの長手方向両端部からコネクタピン１５側に直交するように延出された一対の短辺部１７ｂとからなる平面略コの字形状に形成されている。そして、前記両短辺部１７ｂのコネクタピン１５側の端部は、前記接続確認用電極端子１６の反コネクタピン側の端部に基板１３を隔てて対向されている。さらに、前記基板１３における前記短辺部１７ｂと前記接続確認用電極端子１６との対向部に対応する位置には、スルーホール１９が形成されており、このスルーホール１９内に配設された導電性のコネクタ部材２０によって、前記接続確認用電極端子１６と前記短絡用電極１７とが電気的に接続されている。
【００３０】
これにより、前記短絡用電極１７を流れる電流を検出することによって、接続確認用電極端子１６同士の短絡状態を検出することができ、この結果、電極端子４のコネクタピン１５への接続状態を確認することができるようになっている。
【００３１】
前記コネクタピン１５には、短絡用電極１７を流れる電流を検出する図示しない検出回路が接続されており、この検出回路によって接続確認用電極端子１６同士の短絡状態を検出することができ、これによって、電極端子４の接続状態を位置的に確認することができるようになっている。なお、検出回路による検出結果は、この検出回路と接続しているモジュールの表示手段（図示せず）によって表示可能とされている。前記表示手段としては、例えば、液晶モジュールの場合、通常の表示部以外の部位に接続確認用の表示部を設け、この表示部を点灯させることによって接続確認用電極端子１６の短絡状態を出力するようにしてもよい。
【００３２】
さらに、本実施形態において、前記接続確認用電極端子１６は、基板１３に形成された複数の電極端子４のうち、整列方向の両端部に位置する一対の電極端子１６とされている。
【００３３】
ここで、整列方向の両端部の電極端子４は、通常は、コネクタピン１５との接続に寄与しない場合が多い。したがって、このような電極端子４を接続確認用電極端子１６にすることによって、コネクタピン１５との接続に寄与する他の電極端子４を犠牲にすることなく接続状態を確認することができるようになっている。また、コネクタ２５に可撓配線基板１２を挿入するにあたり、可撓配線基板１２を斜めに挿入すると、深い挿入部側に一対の接続確認用電極端子１６を設けた場合、接続が不安定な部分があるにもかかわらず、接続位置良好との判定を行う虞があり、このような不具合を確実に排除することができる。
【００３４】
前記可撓配線基板１２における基板１３の下面には、補強板２２が配設されており、この補強板２２によって、電極端子４とコネクタピン１５との接続状態を安定的に保持するようになっている。
【００３５】
さらに、前記基板１３の厚み方向の外側には、レジスト膜からなるカバーフィルム２４が配設されており、このカバーフィルム２４によって各電極端子４に連なる配線４ａや短絡用電極１６を保護するようになっている。
【００３６】
次に、本実施形態の作用について説明する。
【００３７】
前記端子部構造１１を備えた可撓配線基板１２を用いてモジュールをＣＰＵ側に接続させるには、図３に示すように、前記可撓配線基板１２の電極端子４をコネクタ２５に差し込むとともに、弾性力によってコネクタピン１５を電極端子４側に押圧するための押さえ治具２６を押下げる。
【００３８】
このとき、コネクタ２５への可撓配線基板１２の差し込みが浅く、電極端子４がコネクタピン１５に接続されていない場合は、前記接続確認用電極端子１６の短絡状態は検出されない。
【００３９】
これに対して、コネクタ２５に可撓配線基板１２が深く差し込まれて電極端子４がコネクタピン１５に適正に接続されている場合は、接続確認用電極端子１６の短絡状態が、前記短絡用電極１７および検出回路を介して電気的に検出される。この短絡状態は、検出回路に接続されたモジュールの表示手段によって視覚的に確認することができる。
【００４０】
従って、本実施形態によれば、可撓配線基板１２の電極端子４のコネクタピン１５への接続状態を簡易かつ安価な構成によって適正に確認することができる。
【００４１】
なお、本発明は、前述した実施の形態に限定されるものではなく、必要に応じて種々の変更が可能である。
【００４２】
例えば、本発明は、可撓配線基板以外の基板にも有効に適用し得るものであり、さらに、液晶モジュール以外の電子機器のモジュールにも有効に適用し得るものである。
【図面の簡単な説明】
【００４３】
【図１】本発明に係る端子部構造の実施形態において、端子部構造を備えた可撓配線基板を示す平面図
【図２】図１のＡ−Ａ断面矢視図
【図３】コネクタへの可撓配線基板の差し込み状態を示した断面図
【図４】従来から採用されていた端子部構造を備えた可撓配線基板の一例を示す平面図
【図５】従来から採用されていた端子部構造を備えた可撓配線基板の図４と異なる他の一例を示した平面図
【符号の説明】
【００４４】
４  電極端子
１１  端子部構造
１３  基板
１５  コネクタピン
１６  接続確認用電極端子
１７  短絡用電極
１９  スルーホール
【図１】
2005071931.tif 000003
【図２】
2005071931.tif 000004
【図３】
2005071931.tif 000005
【図４】
2005071931.tif 000006
【図５】
2005071931.tif 000007